(57)【要約】【課題】簡単な構成で記録位置精度を高めること。【解決手段】記録媒体を搬送方向に搬送する搬送機構と、前記記録媒体を支持する支持面を有する支持部材と、レンチキュラーレンズを有する前記記録媒体を前記支持部材が支持する際に、前記レンチキュラーレンズを前記搬送方向に案内する案内部と、前記案内部を前記支持面に出し入れするための出し入れ機構と、を備える記録装置。【選択図】図１５
2010228109.tif 000002
【特許請求の範囲】
【請求項１】
記録媒体を搬送方向に搬送する搬送機構と、
前記記録媒体を支持する支持面を有する支持部材と、
レンチキュラーレンズを有する前記記録媒体を前記支持部材が支持する際に、前記レンチキュラーレンズを前記搬送方向に案内する案内部と、
前記案内部を前記支持面に出し入れするための出し入れ機構と、
を備える記録装置。
【請求項２】
前記案内部は、前記レンチキュラーレンズを前記搬送方向に案内するために前記搬送方向を長手方向とした凸部を含む、請求項１に記載の記録装置。
【請求項３】
前記出し入れ機構は前記案内部が取り付けられた回転部材を含み、該回転部材が回転されることにより前記案内部が前記支持面に出し入れされる、請求項１又は２に記載の記録装置。
【請求項４】
さらに、前記回転部材は前記支持面に対して平坦な面を含む、請求項３に記載の記録装置。
【請求項５】
前記出し入れ機構は、複数の前記案内部を備える、請求項１〜４のいずれかに記載の記録装置。
【請求項６】
前記複数の案内部において、前記レンチキュラーレンズを前記搬送方向に案内するために前記搬送方向を長手方向とした凸部の形状がそれぞれ異なる、請求項５に記載の記録装置。
【請求項７】
前記複数の案内部において、前記レンチキュラーレンズを前記搬送方向に案内するために前記搬送方向を長手方向とした凸部の高さがそれぞれ異なる、請求項５に記載の記録装置。
【請求項８】
前記複数の案内部において、前記レンチキュラーレンズを前記搬送方向に案内するために前記搬送方向を長手方向とした凸部の断面形状がそれぞれ異なる、請求項５に記載の記録装置。
【請求項９】
前記複数の案内部において、前記レンチキュラーレンズを前記搬送方向に案内するために前記搬送方向を長手方向とした凸部の形状がそれぞれ同じ形状を有する、請求項５に記載の記録装置。
【請求項１０】
前記回転部材を連動して回転させるための操作ダイヤルを備え、該操作ダイヤルに前記凸部の形状を示す情報が示される、請求項６〜９のいずれかに記載の記録装置。
【請求項１１】
前記レンチキュラーレンズを前記案内部に対して押圧する押圧部材を備え、
前記回転部材は、前記支持面に設けられた空洞に収納され、
前記押圧部材の幅は前記空洞の幅よりも広い、請求項１〜１０のいずれかに記載の記録装置。
【請求項１２】
前記搬送方向に案内された前記レンチキュラーレンズに液体を噴射するヘッドをさらに備える、請求項１〜１１のいずれかに記載の記録装置。
【発明の詳細な説明】
【技術分野】
【０００１】
本発明は、記録装置に関する。
【背景技術】
【０００２】
レンチキュラーレンズの背面に画像を配置することによって、立体画像あるいは見る角度に応じて絵柄が変化する画像が得られることが知られている。このような画像を得る際に、レンチキュラーレンズの背面に画像を貼り合わせても良いが、レンチキュラーレンズの背面に画像を直接記録することも行われている。  
レンチキュラーレンズの背面の画像（レンチキュラー画像）は、レンチキュラーレンズのレンズ配列に精度良く合わせる必要がある。このため、レンチキュラーレンズの背面に画像を記録する場合にも、レンチキュラーレンズと画像とを精度良く位置合わせする必要がある。  
特許文献１では、センサーを用いてレンチキュラーレンズの位置を検出し、この検出結果に基づいて所定の位置に記録を行う技術が開示されている。また、特許文献２には、搬送用トレイに載置された記録媒体がトレイ上で位置ずれしない対策を施し、記録位置の精度を高める技術が開示されている。
【先行技術文献】
【特許文献】
【０００３】
【特許文献１】特許第３４７１９３０号公報
【特許文献２】特開２００７−１３０７６９号公報
【発明の概要】
【発明が解決しようとする課題】
【０００４】
特許文献１では、レンチキュラーレンズの位置を検出するためのセンサーが必要になるため、装置のコストが高くなる。また、特許文献２では、搬送トレイに対する記録媒体の位置ずれを抑制できても、搬送トレイが搬送方向に対して傾斜した状態で搬送されてしまうと、記録媒体への画像記録位置の精度が低下する。  
本発明は、簡単な構成で記録位置精度を高めることを目的とする。
【課題を解決するための手段】
【０００５】
上記目的を達成するための主たる発明は、
記録媒体を搬送方向に搬送する搬送機構と、
前記記録媒体を支持する支持面を有する支持部材と、
レンチキュラーレンズを有する前記記録媒体を前記支持部材が支持する際に、前記レンチキュラーレンズを前記搬送方向に案内する案内部と、
前記案内部を前記支持面に出し入れするための出し入れ機構と、
を備える記録装置である。  
本発明の他の特徴については、本明細書及び添付図面の記載により明らかにする。
【図面の簡単な説明】
【０００６】
【図１】図１Ａは、レンズシートの拡大断面図である。図１Ｂは、レンズシートをレンチキュラーレンズ側から見た図である。図１Ｃは、別のレンズシートの説明図である。
【図２】記録装置の概略構成を説明するためのブロック図である。
【図３】記録装置を後方から見た斜視図である。
【図４】図３に示す部分Ｒの拡大図である。
【図５】図５Ａは、レンズシートがガイドに対して斜めに載置された様子を上から見た図である。図５Ｂは、図５ＡのＡ−Ａ断面図である。図５Ｃは、図５ＡのＢ−Ｂ断面図である。
【図６】図６Ａは、第１変形例のガイド選択装置３００の配置の説明図であり、図６Ｂは、第２変形例のガイド選択装置３００の配置の説明図であり、図６Ｃは、第３変形例のガイド選択装置３００の配置の説明図である。
【図７】図７Ａは、図３のガイドの係合部の断面形状の説明図である。図７Ｂは、第１変形例の係合部の断面形状の説明図である。図７Ｃは、第２変形例の係合部の断面形状の説明図である。図７Ｄは、第４変形例の係合部の断面形状の説明図である。図７Ｅは、第４変形例の係合部の断面形状の説明図である。
【図８】図８Ａは、図３のガイドの搬送方向上流側の端面の説明図である。図８Ｂは、ガイドの端面形状の変形例の説明図である。
【図９】図９Ａは、図３のガイドの係合部の端部形状の説明図である。図９Ｂ〜図９Ｅは、係合部の凸部の端部形状の変形例である。
【図１０】変形例のガイドの一部を上から見た図である。
【図１１】図１１Ａは、凸部の個数の第１変形例の説明図である。図１１Ｂは、凸部の個数の第２変形例の説明図である。図１１Ｃは、凸部の個数の第３変形例の説明図である。図１１Ｄは、凸部の個数の第４変形例の説明図である。
【図１２】図１２Ａは、押圧ローラーの表面に凸部を設けた変形例の説明図であり、図１２Ｂは、押圧ローラーの表面に凸部を設けた別の変形例の説明図である。
【図１３】図１３Ａは、押圧ローラーの第１変形例の説明図であり、図１３Ｂは、押圧ローラーの第２変形例の説明図であり、図１３Ｃは、押圧ローラーの第２変形例の説明図である。
【図１４】図１２Ａは、ＡＳＦを備えた記録装置の説明図である。図１２Ｂは、開閉可能な給紙カセットを備えた記録装置の説明図である。
【図１５】ガイド選択装置３００の断面図である。
【図１６】ガイド選択装置３００の上面図である。
【図１７】用紙を印刷するときのガイド選択装置３００の断面図である。
【図１８】直方体状のガイド取付部材３１０を説明する図である。
【図１９】円柱形状のガイド取付部材３２０を説明する図である。
【図２０】載置台を有するプリンタ１’の斜視図である。
【発明を実施するための形態】
【０００７】
本明細書及び添付図面の記載により、少なくとも、以下の事項が明らかとなる。
【０００８】
記録媒体を搬送方向に搬送する搬送機構と、
前記記録媒体を支持する支持面を有する支持部材と、
レンチキュラーレンズを有する前記記録媒体を前記支持部材が支持する際に、前記レンチキュラーレンズを前記搬送方向に案内する案内部と、
前記案内部を前記支持面に出し入れするための出し入れ機構と、
を備える記録装置。  
このようにすることで、簡単な構成で記録位置精度を高めることができる。
【０００９】
かかる記録装置であって、前記案内部は、前記レンチキュラーレンズを前記搬送方向に案内するために前記搬送方向を長手方向とした凸部を含むことが望ましい。また、前記出し入れ機構は前記案内部が取り付けられた回転部材を含み、該回転部材が回転されることにより前記案内部が前記支持面に出し入れされることが望ましい。また、さらに、前記回転部材は前記支持面に対して平坦な面を含むことが望ましい。また、前記出し入れ機構は、複数の前記案内部を備えることが望ましい。
【００１０】
また、前記複数の案内部において、前記レンチキュラーレンズを前記搬送方向に案内するために前記搬送方向を長手方向とした凸部の形状がそれぞれ異なることが望ましい。また、前記複数の案内部において、前記レンチキュラーレンズを前記搬送方向に案内するために前記搬送方向を長手方向とした凸部の高さがそれぞれ異なることとしてもよい。また、前記複数の案内部において、前記レンチキュラーレンズを前記搬送方向に案内するために前記搬送方向を長手方向とした凸部の断面形状がそれぞれ異なることが望ましい。また、前記複数の案内部において、前記レンチキュラーレンズを前記搬送方向に案内するために前記搬送方向を長手方向とした凸部の形状がそれぞれ同じ形状を有することとしてもよい。また、前記回転部材を連動して回転させるための操作ダイヤルを備え、該操作ダイヤルに前記凸部の形状を示す情報が示されることが望ましい。
【００１１】
また、前記レンチキュラーレンズを前記案内部に対して押圧する押圧部材を備え、前記回転部材は、前記支持面に設けられた空洞に収納され、前記押圧部材の幅は前記空洞の幅よりも広いことが望ましい。また、前記搬送方向に案内された前記レンチキュラーレンズに液体を噴射するヘッドをさらに備えることが望ましい。  
このようにすることで、簡単な構成で記録位置精度を高めることができる。
【００１２】
＝＝＝レンズシート＝＝＝
まず、レンチキュラーレンズを有する記録媒体であるレンズシートについて説明する。  
図１Ａは、レンズシートの拡大断面図である。図１Ｂは、レンズシートをレンチキュラーレンズ側から見た図である。図１Ｃは、別のレンズシートの説明図である。
【００１３】
レンズシートＬは、レンチキュラーレンズ７と、画像形成層８とを有する。  
レンチキュラーレンズ７は、多数のシリンドリカルレンズ１３をシート面方向に配列した樹脂製の光学部材（シリンドリカルレンズアレイ）である。以下の説明では、シリンドリカルレンズ１３の母線方向を「ｘ方向」とし、シリンドリカルレンズ１３の並ぶ方向を「ｙ方向」とする（ｘ、ｙは小文字）。また、各シリンドリカルレンズ１３の最も突出している部分（ピーク）を「山」と呼び、シリンドリカルレンズ間の凹部分を「谷」と呼び、山の連なる線を「稜線」と呼ぶことがある。
【００１４】
画像形成層８は、インク透過層８Ａと、インク吸収層８Ｂとを有する。インク透過層８Ａは、レンズシートＬの外側に位置し、インク吸収層８Ｂは、インク透過層８Ａとレンチキュラーレンズ７との間に位置する。レンズシートＬの画像形成層８の側からインクジェット記録方式で画像を記録すると、インクがインク透過層８Ａを透過してインク吸収層８Ｂに吸収され、レンチキュラーレンズ７越しに画像を視認できる。
【００１５】
なお、レンズシートＬの画像形成層８は無くても良い。例えば、紫外線硬化インクを用いれば、インク透過層８Ａやインク吸収層８Ｂなどが無くても、レンチキュラーレンズ７の背面に直接画像を記録することができる。
【００１６】
以下に説明する本実施形態の記録装置は、レンチキュラーレンズ７の形状を利用して、レンチキュラーレンズ７の母線方向（ｘ方向）に沿ってレンズシートＬを搬送する。具体的には、搬送方向に沿って凸部をガイド（後述）上に形成しておき、この凸部にシリンドリカルレンズ間の谷間が係合しながらレンズシートＬを滑らせるように搬送することによって、記録装置の搬送方向とレンズの母線方向（ｘ方向）とが一致するようにしている。
【００１７】
これにより、記録装置の記録位置（ヘッドがインクを吐出して画像を形成する位置）において、レンチキュラーレンズ７の各シリンドリカルレンズ１３が所定位置に位置決めされた状態になる。この結果、レンチキュラーレンズ７のレンズ配列に合わせて、精度良く画像を記録できる。
【００１８】
なお、図１Ｂでは、レンズシートＬの辺の方向は、ｘ方向やｙ方向と一致している。但し、図１Ｃのように、レンズシートＬの種類により、若しくはレンズシートＬの製造精度により、レンズシートＬの辺の方向は、ｘ方向やｙ方向と一致しないことがある。本実施形態の記録装置は、図１ＣのようなレンズシートＬに対しても、記録装置の搬送方向とレンズの母線方向（ｘ方向）とを一致させ、レンチキュラーレンズ７のレンズ配列に合わせて、精度良く画像を記録できる。
【００１９】
また、図１Ｂのような場合においても、レンズシートＬの辺にシリンドリカルレンズ１３の山が位置することもあるし、谷が位置することもある。本実施形態の記録装置によれば、レンズシートＬの辺にシリンドリカルレンズ１３の山が位置するか谷が位置するかに関わらず、レンチキュラーレンズ７の各シリンドリカルレンズ１３が所定位置に位置決めされた状態になる。
【００２０】
＝＝＝本実施形態＝＝＝
＜記録装置の概要＞
図２は、記録装置の概略構成を説明するためのブロック図である。図３は、記録装置を後方から見た斜視図である。なお、図３において、記録装置１００の搬送方向をＸ方向とし、ヘッドの主走査方向をＹ方向とし、鉛直方向をＺ方向とする（Ｘ、Ｙ、Ｚは大文字）。後述するように、Ｘ方向（記録装置１００の搬送方向）とｘ方向（レンズシートＬのレンズの母線方向）は、一致することになる。
【００２１】
外部装置であるコンピューター１１０は、記録装置１００に記録させるための画像を生成し、記録用データを記録装置１００に送信する。レンズシートＬに記録を行う場合には、コンピューター１１０は、ユーザーの指定した複数の画像をレンズピッチ等に応じて加工・合成することによって記録用の画像を生成し、その画像を記録させるための記録用データを記録装置１００に送信する。なお、記録用データを生成する機能を記録装置１００が備えていてもよい。
【００２２】
記録装置１００は、コンピューター１１０から受信した記録用データに基づいて、媒体に記録を行う。レンズシートＬに記録を行う場合には、レンズピッチに応じて生成された記録用データに基づいて、レンズシートＬの背面に画像を記録する。
【００２３】
記録装置１００は、筐体２と、ガイド選択装置３００と、ガイド選択装置３００に含まれるガイド３と、搬送ローラー４及び排紙ローラー５と、ヘッド６等を有する。筐体２は、記録装置１００の外装体である。ガイド選択装置３００は、ガイドを媒体の搬送面３９０に出し入れするための装置である。ガイド３は、レンズシートＬを搬送方向（Ｘ方向）に案内するためのガイドである。搬送ローラー４及び排紙ローラー５は、搬送面３９０のレンズシートＬを搬送方向に搬送する。ヘッド６は、レンズシートＬに対して記録を行う。
【００２４】
筐体２には、給紙開口部９と、排紙開口部１０とが設けられている。給紙開口部９から供給されたレンズシートＬは、搬送ローラー４及び排紙ローラー５によって搬送方向に搬送されると共に、ヘッド６によって記録が行われ、排紙開口部１０から記録装置１００の外部に排出される。
【００２５】
ガイド選択装置３００は、複数種類のガイド又は平坦面を搬送面３９０に出し入れするための装置である。これにより、複数種類のレンズシートＬに対応するガイドを搬送面３９０に突出させたり、用紙を搬送させるための平坦面を搬送面３９０に表出させたりすることができる。複数種類のガイドを含むガイド選択装置３００の詳細については図１３以降において詳述する。
【００２６】
ヘッド６の前後には、搬送ローラー４と排紙ローラー５が配置されている。搬送ローラー４は搬送用モーター１６によって回転駆動され、排紙ローラー５は排紙用モーター１７によって回転駆動される。  
ヘッド６は、インクを吐出するインクジェット型の記録ヘッドであり、キャリッジ１８の下面に取り付けられている。キャリッジ１８は、Ｙ方向に沿って設けられたキャリッジガイド１９によってＹ方向に移動可能に支持され、キャリッジ用モーター２０により駆動されるタイミングベルト２１に取り付けられている。このため、キャリッジ用モーター２０によりタイミングベルト２１が回転駆動すると、キャリッジ１８と共にヘッド６がＹ方向に往復移動することができる。
【００２７】
コントローラーは、搬送用モーター１６や排紙用ローラー１７を制御することによって、レンズシートＬの搬送方向への搬送を制御する。また、コントローラーは、キャリッジ用モーター２０を制御することによって、ヘッド６の移動を制御する。また、コントローラーは、ヘッド６からのインクの吐出を制御する。これにより、コントローラーは、レンズシートＬの所望の位置に画像を記録することができる。なお、レンズシートＬに画像を記録するときには、画像形成層８の側がヘッド６に対向し、レンチキュラーレンズ７の側がガイド３と接触するように、レンズシートＬを搬送面３９０上に載置する。これにより、ヘッド６は画像形成層８に対して記録を行い、レンチキュラーレンズ７の側から画像形成層８に記録された画像を視認することができる記録物が作成される。
【００２８】
＜ガイドの構成＞
図４は、図３に示す部分Ｒの拡大図である。  
ガイド３は、後述するガイド取付部材３１０と、係合部１２とを備えている。係合部１２は、レンチキュラーレンズ７と同一形状であり、ガイド取付部材３１０上に設けられている。すなわち、シリンドリカルレンズ１３と同一形状の線条の凸部１４が、レンズピッチと同じピッチで並んでいる。このため、レンチキュラーレンズ７を転用して係合部１２を形成しても良い。係合部１２の形状がレンチキュラーレンズ７と同一形状であるため、ここでは、係合部１２の凸部１４の最も突出している部分を「山」と呼び、凸部１４の間の凹部分を「谷」と呼び、山の連なる線を「稜線」と呼び、稜線と平行な方向を「母線方向」と呼ぶことがある。
【００２９】
ガイドを含むガイド選択装置３００は、線条の凸部１４の母線方向が記録装置１００の搬送方向（Ｘ方向）と一致するように位置調整されて、記録装置１００に取り付けられている。
【００３０】
係合部１２がレンチキュラーレンズ７と同一形状であるため、レンチキュラーレンズ７の側を下にしてレンズシートＬをガイド３に載置したときに、レンチキュラーレンズ７のシリンドリカルレンズ１３とガイド３の凸部１４とが噛み合い、ガイド３の凸部１４がシリンドリカルレンズ１３の山と山の間に位置し、シリンドリカルレンズ１３の山がガイド３の凸部１４と凸部１４の間に位置する。この結果、レンズシートＬは、ガイド３に対してＹ方向の動きが制限され、Ｙ方向に位置決めされる。一方、凸部１４の母線方向（図４の紙面垂直方向、Ｘ方向）の制約はないため、レンズシートＬは、ガイド３の凸部１４の母線方向である搬送方向に沿って、搬送可能である。すなわち、ガイド３は、レンズシートＬを、Ｙ方向への移動を拘束したまま、搬送方向に案内する。
【００３１】
＜押圧力による斜行防止＞
レンズシートＬがガイド３に対して斜めに載置されることがある。すなわち、記録装置１００の搬送方向（Ｘ方向）と、レンズシートＬのレンズの母線方向（ｘ方向）とが一致しない状態で、レンズシートＬがガイド３に載置されることがある。このような状態では、レンズシートＬがＹ方向に位置決めされていない。但し、このような場合においても、レンズシートＬをガイド３に自重などによって押し付けながら搬送することによって、レンズシートＬが斜行されて搬送されることを防止できる。
【００３２】
２枚のレンズシートを用意し、最初は２枚のレンズシートの母線方向を交差させた状態（レンズ同士の山が噛み合っていない状態）でレンズ面同士を対向させて重ね合わせ、その状態で２枚のレンズシートを滑らせると（擦り合わせると）、２枚のレンズシートの母線方向が一致して、レンズ同士の山が噛み合う状態になる。本実施形態の記録装置１００がレンズシートＬをガイド３に押付けながら搬送することによって斜行防止できるのは、この現象を利用したものである。
【００３３】
図５Ａは、レンズシートがガイド３に対して斜めに載置された様子を上から見た図である。図５Ｂは、図５ＡのＡ−Ａ断面図である。図５Ｃは、図５ＡのＢ−Ｂ断面図である。図５Ａでは、ガイド３やレンズの山の位置を点線で示し、谷の位置を実線で示し、ガイド３を太線で示し、レンズを細線で示している。また、説明の簡略化のため、山や谷の数を少なくしている。
【００３４】
図５ＡのようにレンズシートＬがガイド３に対して斜めに載置されると、図５ＢのようにレンズシートＬとガイド３の山同士が接触する所がある。したがって、図４の状態と比較すると、レンズシートＬとガイド３との間隔が広くなっている。このため、図５Ｃに示すように、レンズシートＬの山がガイド３から離れる部分が生じる。図５Ｃの状態のＢ−Ｂ断面の位置に押圧力が作用すると、図４のようにレンズシートＬの山がガイド３の谷に入り込んで接触するようにレンズシートＬが撓む。この結果、Ｂ−Ｂ断面の位置に押圧力が作用すると、Ｂ−Ｂ断面の位置では、レンズシートＬの左右方向（Ｙ方向）の移動が制限される。
【００３５】
その状態からレンズシートＬが搬送方向に搬送されると、押圧力の作用する位置がＢ−Ｂ断面の位置からずれる。この結果、Ｂ−Ｂ断面からずれた位置においても、図４のようにレンズシートＬの山がガイド３の谷に入り込む。このとき、Ｂ−Ｂ断面の位置で図４のような状態が維持されたまま、Ｂ−Ｂ断面からずれた位置でも図４のような状態になろうとするため、Ａ−Ａ断面のようにレンズシートＬの山がガイド３の山と接触している位置（図５Ａ、図５Ｂ参照）では、レンズシートＬの山がガイド３の曲面に沿って滑る（この場合、レンズシートＬの山が右方向に滑る）。これにより、斜行が解消される方向（図５Ａの反時計回り）にレンズシートＬが回転し、斜行が修正される（レンズシートＬの母線方向とガイド３の母線方向が一致する）。
【００３６】
斜行が修正され、レンズシートＬの山とガイド３の山とが一旦噛み合うと、もはやレンズシートＬが回転する動きは拘束され、また、レンズシートＬに対して回転方向に作用する力も生じない。また、レンズシートＬの山とガイド３の山とが噛み合った状態でレンズシートＬが押圧力を受けると、レンズシートＬとガイド３との間に隙間が空かなくなり、ガイド３に対するレンズシートＬの動きはＸ方向だけに限定されるので、継続的に斜行が防止される。
【００３７】
＝＝＝ガイドの変形例＝＝＝
＜配置について＞
図６Ａは、第１変形例のガイド選択装置３００の配置の説明図である。前述の図３のガイド選択装置３００は、搬送方向について搬送ローラー４の上流側に配置されていたが、図６Ａに示すように搬送ローラー４に対抗する位置にガイド選択装置３００を配置することとしてもよい。このようにすることによって、搬送ローラー４がレンズシート４をガイド選択装置３００のガイドに押しつけることになるので、より的確に、レンズシートＬの山をガイドの係合部の谷に咬み合うようにすることができる。
【００３８】
尚、このとき押圧部材としての搬送ローラー４の幅をガイド選択装置３００の幅よりも大きくすることが望ましい。このようにすることで、搬送面（平坦面）３９０も搬送ローラー４の押しつける力を受けることになるので、ガイド選択装置３００のガイド３に必要以上の力がかからないようにすることができる。
【００３９】
図６Ｂは、第２変形例のガイド選択装置３００の配置の説明図である。この変形例では、押圧ローラー２４が設けられ、押圧ローラー２４がバネ要素２４ＡによってレンズシートＬをガイド選択装置３００のガイドに押し付けている。このように、押圧ローラー２４によって３レンズシートＬをガイドに押しつけることによって、より素早く、レンズシートＬの山をガイドの係合部の谷に咬み合うようにするようにすることができる。なお、図６Ｂでは、ヘッド６と対向する位置でレンズシートＬを支持するため、プラテン２３がガイド３とは別に設けられている。
【００４０】
図６Ｃは、第３変形例のガイド選択装置３００の配置の説明図である。このガイド選択装置３００は、搬送方向に関して、搬送ローラー４とヘッド６との間に設けられている。言い換えると、このガイド選択装置３００は、搬送方向に関して、搬送ローラー４とプラテン２３との間に設けられている。このような位置にガイド選択装置３００を配置しても、ガイド選択装置３００のガイドが搬送ローラー４から搬送されてきたレンズシートＬを位置決めしつつ案内するので、レンズシートＬの斜行が防止され、Ｘ方向（記録装置１００の搬送方向）とｘ方向（レンズシートＬのレンズの母線方向）が一致する。
【００４１】
なお、図６Ｃの構成によれば、より記録位置に近い所でガイド３がレンズシートＬを案内するので、記録位置にレンズシートＬを精度良く位置決めできる。
【００４２】
＜係合部の形状について（１）＞
図７Ａは、図３のガイドの係合部の断面形状の説明図である。前述のガイド３は、レンチキュラーレンズ７と同一形状であった。  
但し、ガイド３の係合部１２は、このような形状に限られるものではない。以下、ガイド３の係合部１２の形状の変形例について説明する。なお、以下のいずれの係合部１２も、図７Ａと同様に、搬送方向に沿った凸部１４を有している。
【００４３】
図７Ｂは、第１変形例の係合部の断面形状の説明図である。第１変形例の係合部１２の断面形状は、レンチキュラーレンズ７の反対形状である。言い換えると、第１変形例の係合部１２の凸部１４は、レンチキュラーレンズ７の凹部に合う形状になっている。このため、図７Ａでは凸部１４の曲率中心は係合部１２の内側（下側）にあったが、第１変形例の係合部１２の凸部１４の曲率中心は、係合部１２の外側（上側）にある。このような第１変形例の係合部１２であれば、レンズシートＬのＹ方向の拘束を強固にできる。
【００４４】
図７Ｃは、第２変形例の係合部の断面形状の説明図である。第２変形例の係合部１２は曲面を持たず、凸部１４の断面は三角形状である。このような形状であっても、レンズシートＬをＹ方向に拘束できる。
【００４５】
図７Ｄは、第４変形例の係合部の断面形状の説明図である。第４変形例の係合部１２は、図７Ａ〜図７Ｃと比較すると、凸部１４の間隔が２倍になっている。このように、凸部１４の間隔をレンズピッチｐの整数倍にしても、レンズシートＬをガイド３に載置したときにガイド３の凸部１４がシリンドリカルレンズ１３の谷に位置するので、レンズシートＬは、ガイド３に対してＹ方向の動きが制限され、Ｙ方向に位置決めされる。
【００４６】
図７Ｅは、第４変形例の係合部の断面形状の説明図である。第３変形例の係合部１２は、凸部１４の断面が矩形状である。このような形状であっても、レンズシートＬをＹ方向に拘束できる。但し、図７Ａ〜図７Ｄの係合部１２の方が、図７Ｅの係合部１２よりも、レンズとの間に隙間が生じにくいので、位置決め精度が高い。
【００４７】
＜係合部の形状について（２）＞
図８Ａは、図３のガイドの搬送方向上流側の端面の説明図である。図のようにガイド３の端面３Ａの法線方向が搬送方向（Ｘ方向）になると、レンズシートＬがガイド３に向かって搬送されてきたときに、レンズシートＬの上端がガイド３の端面３Ａにぶつかり、シートが詰まりやすい。  
図８Ｂは、ガイドの端面形状の変形例の説明図である。変形例では、ガイド３の搬送方向上流側の端面３Ｂの法線方向がＺ方向成分を有するように、ガイド３の端面を斜面にしている。これにより、レンズシートＬの上端がガイド３の端面３Ｂにぶつかったとき、レンズシートＬの上端が上に案内され、シートが詰まりにくくなる。  
なお、前述の図６Ｃ〜図６Ｆのように、ガイド３よりも搬送方向上流側からレンズシートＬが搬送されてくる構成の場合に、図８Ｂの変形例が有利である。
【００４８】
＜係合部の形状について（３）＞
図９Ａは、図３のガイドの係合部の端部形状の説明図である。図のように、係合部１２の断面形状が端部まで同じだと、レンズシートＬがガイド３に向かって搬送されてきたときに、レンズシートＬの上端が係合部１２の凸部１４にぶつかり、シートが詰まりやすい。  
図９Ｂ〜図９Ｅは、係合部の凸部の端部形状の変形例である。このように、係合部１２の凸部１４を、搬送方向上流側ほど小さくするようにしても良い。これにより、係合部１２の凸部１４の端が、搬送されてくるレンズシートＬの山と山の間に入り込みやすくなり、レンズシートＬの山を係合部１２の谷に案内し、レンズシートＬの谷を係合部１２の山に案内しやすくなる。  
なお、前述の図６Ｃ〜図６Ｆのように、ガイド３よりも搬送方向上流側からレンズシートＬが搬送されてくる構成の場合に、図９Ｂ〜図９Ｅの変形例が有利である。
【００４９】
＜係合部の形状について（４）＞
前述の凸部１４は、Ｘ方向（搬送方向）に沿った線条の形状であった。しかし、凸部１４の形状は、線条に限られるものではない。  
図１０は、変形例のガイドの一部を上から見た図である。正方格子状に多数の半球状突起が係合部１２に設けられている。突起３４と突起３４との間隔は、レンチキュラーレンズ７のレンズピッチｐと同じである。言い換えると、この変形例では、搬送方向に沿って複数の突起３４を設けることによって、搬送方向に沿った凸部１４が形成されており、このような凸部１４がレンズピッチｐと同じ間隔で並んでいる。このようなガイド３であっても、レンズシートＬをＹ方向に拘束しつつ、Ｘ方向に搬送できる。  
なお、この変形例の突起３４の形状は半球状であったが、円錐状や四角錐状（ピラミッド状）にしても良い。また、突起同士のＹ方向の間隔は、必ずしもレンチキュラーレンズ７のレンズピッチｐと同じでなくてもよく、レンズピッチの整数倍の間隔であっても良い。また、Ｙ方向には突起３４を揃えて配置しなくても良い。
【００５０】
＜凸部の個数について＞
前述のガイド３には、多数の凸部１４がレンチキュラーレンズ７のレンズピッチと同じピッチでＹ方向に連続して設けられていた。しかし、ガイド３はこのような形状でなくても良い。  
図１１Ａは、凸部の個数の第１変形例の説明図である。このように、凸部１４が単数であっても、凸部１４が搬送方向（図中の紙面に垂直な方向）に沿って形成されていれば、ガイド３はレンズシートＬをＹ方向に拘束しつつ搬送方向に搬送できる。  
図１１Ｂは、凸部の個数の第２変形例の説明図である。このように、複数の凸部１４が、レンチキュラーレンズ７のレンズピッチｐと同じ間隔で並んでいても良い。  
図１１Ｃは、凸部の個数の第３変形例の説明図である。このように、複数の凸部１４が、レンチキュラーレンズ７のレンズピッチｐの整数倍の間隔で並んでいても良い。  
図１１Ｄは、凸部の個数の第４変形例の説明図である。ガイド３に複数の凸部１４が設けられる場合、必ずしも等間隔である必要はなく、凸部１４同士の間隔が、レンチキュラーレンズ７のレンズピッチｐ若しくはその整数倍であれば良い。  
なお、図１１Ａ〜図１１Ｄでは、凸部１４の形状を円筒状にしているが、既に説明したような別の形状であっても良い。ここでは、その説明を省略する。
【００５１】
＝＝＝押圧ローラーの変形例＝＝＝
＜構成について＞
前述の実施形態では、搬送ローラー４若しくは搬送ローラー４とは別のローラー２４が、レンズシートＬをガイド３に押し付けるための押圧ローラーとなっていた（以下の説明では、搬送ローラー４と押圧ローラー２４をまとめて「押圧ローラー」と呼ぶことがある）。但し、レンズシートＬをガイド３に押し付ける押圧要素は、ローラーのように回転可能でなくても良い。例えば、低摩擦の部材で押圧要素を形成し、押圧要素は回転せずに、ガイド３と押圧要素との間をレンズシートＬが摺動されても良い。また、押圧要素は、ローラーのような形状でなくても良い。
【００５２】
＜表面形状について＞
前述の押圧ローラーの表面に凹凸を形成しても良い。  
図１２Ａは、押圧ローラーの表面に凸部を設けた変形例の説明図である。押圧ローラーの凸部４４は、ガイド３の凸部１４と対向する位置に設けられている。このため、押圧ローラーの凸部４４の間隔は、レンズピッチｐと同じ間隔、若しくは、その整数倍である。押圧ローラーの凸部４４がガイド３の凸部１４と対向する位置にあるため、前述の図５ＡのＢ−Ｂ断面の位置で押圧力が作用するときに、レンズシートＬの山がガイド３の谷に向かって強く押され、斜行が修正されやすくなる。  
図１２Ｂは、押圧ローラーの表面に凸部を設けた別の変形例の説明図である。図１２Ｂの押圧ローラーの凸部４４は、ガイド３の凸部１４の間と対向する位置に設けられている。図５Ｃのような状態からレンズシートＬの山がガイド３の谷に入り込むことがレンズシートＬの斜行修正の契機になるので、押圧ローラーの凸部４４の位置は、図１２Ａよりも図１２Ｂの方が有利である。  
なお、押圧ローラーに凸部４４を設ける場合には、押圧ローラーの凸部４４が変形しやすいようにゴムなどの弾性材を用いると良い。
【００５３】
＜押圧ローラーによるレンズシートの回転の許容について＞
図５Ａで説明したように、レンズシートＬの斜行が修正されるとき、鉛直方向を軸にしてレンズシートＬが回転する。このため、押圧ローラーは、レンズシートＬが回転しやすい構成になっていることが望ましい。
【００５４】
図１３Ａは、押圧ローラーの第１変形例の説明図である。この押圧ローラーは、不図示の支持部によって、図中の×印を中心に回転可能である。なお、レンズシートＬの斜行が修正されると、レンズシートＬの山がガイド３の凸部１４の間に入り込み、押圧ローラーの押圧力を発生するバネ要素（図６Ａの４Ａや図６Ｂの２４Ａ）の伸び、押圧力が低下する。これにより、レンズシートＬの斜行が修正されると、レンズシートＬと共に回転した押圧ローラーは、元の位置に戻る。言い換えると、このようにバネ要素の押圧力を調整することが望ましい。
【００５５】
図１３Ｂは、押圧ローラーの第２変形例の説明図である。この押圧ローラーは、図１３Ａの押圧ローラーと比べると、長さが短い。このように、長さを短くすれば、回転後の押圧ローラーが元の位置に戻るときにレンズシートＬに作用する摩擦力が少なくて済む。なお、このように短い押圧ローラーを１個で構成する場合には、押圧ローラーは、レンズシートＬの中央（Ｙ方向の幅の中央）に配置することが望ましい。これにより、レンズシートＬへの押圧力が偏らずに済む。
【００５６】
図１３Ｃは、押圧ローラーの第３変形例の説明図である。２個の押圧ローラーが、レンズシートＬの両側端の近くに設けられている。そして、各押圧ローラーは、搬送方向に沿って移動可能である。これにより、レンズシートＬの斜行が修正されるとき、一方の押圧ローラーが搬送方向上流側に移動し、他方の押圧ローラーが搬送方向下流側に移動し、レンズシートＬの回転が許容される。このように、１対の押圧ローラーが搬送方向に対称移動可能に支持されていても良い。
【００５７】
なお、レンズシートＬを回転しやすくする押圧ローラーの構成は、上記のものに限られない。単にレンズシートＬの表面を低摩擦な部材で構成するだけでも良い。
【００５８】
＝＝＝給紙の変形例＝＝＝
前述の実施形態では、レンズシートＬが記録装置１００の背面側から供給されていた。しかし、これに限られるものではない。
【００５９】
図１４Ａは、ＡＳＦ（オート・シート・フィーダー）を備えた記録装置の説明図である。このように記録装置１００の上側からレンズシートＬを供給しても良い。  
図１４Ｂは、記録装置の前面から開閉可能な給紙カセットを備えた記録装置の説明図である。このように記録装置の下側からレンズシートＬを供給しても良い。  
いずれの場合においても、ヘッド６がレンズシートＬに記録を行う前に、レンズシートＬがガイド３上で押さえつけられながら搬送されているので、レンズシートＬを精度良く搬送方向に搬送できる。
【００６０】
＜本実施形態におけるガイド選択装置３００＞
図１５は、ガイド選択装置３００の断面図である。図１６は、ガイド選択装置の上面図である。図には、ガイド取付部材３１０と、ベルト３６０と、操作ダイヤル３５０と、第１ガイド３１１と、第２ガイド３１２とが示されている。
【００６１】
ガイド取付部材３１０には、第１ガイド３１１と第２ガイド３１２が取り付けられている。また、ガイド取付部材には、ガイド回転軸３３０が一体的に回転可能に取り付けられ、さらに、ガイド回転軸３３０には後述するベルトと咬み合う第１ギヤが取り付けられている。
【００６２】
また、操作ダイヤル３５０には、操作ダイヤル回転軸３４０が一体的に回転可能に取り付けられる。操作ダイヤル回転軸３４０にはベルトと咬み合う第２ギヤが取り付けられている。そして、第１ギヤと第２ギヤには、ベルト３６０が架け渡される。
【００６３】
このようにすることによって、操作ダイヤルを回転させることによって、その動力が伝達され、ガイド取付部材３１０をガイド回転軸３３０を中心として回転させる。そして、使用するレンチキュラーレンズ、又は、用紙の種類に応じてガイド取付部材において使用する面を媒体の搬送面３９０に向けることができる。
【００６４】
尚、操作ダイヤル３５０に、搬送面３９０に向いているガイドの種類を表示する表示部を設けることとしてもよい。
【００６５】
また、ここでは操作ダイヤルを手動で回転させる構成として説明しているが、操作ダイヤル回転軸３４０、又は、ガイド回転軸３５０にモーターを取り付けることとして、モーターの動力によってガイド取付部材３１０を回転させる構成としてもよい。
【００６６】
また、操作ダイヤル３５０などの構成を省き、ガイド取付部材３１０、第１ガイド３１１、第２ガイド３１２、及び、ガイド回転軸３３０を備える構成としてもよい。この場合、ガイド取付部材３１０に直接触れることによって直接で回転させることとしてもよい。また、ガイド取付部材３１０が取り付けられている位置よりも下部にガイド取付部材３１０を手動で直接回転させることができるような貫通孔を設けることとしてもよい。
【００６７】
図１７は、用紙を印刷するときのガイド選択装置３００の断面図である。図において、ガイド選択装置の平坦な面が搬送面に向くようになっている。このようにして、レンチキュラーレンズシートのようなシリンドリカルレンズを有しないような用紙に印刷を行う場合には、ガイド取付部材における平坦な面を搬送面３９０に向けることで、ガイドによって用紙にキズなどをつけることなく、適切に用紙を搬送方向に搬送することができる。
【００６８】
ところで、印刷媒体としてのレンチキュラーレンズシートには、そのシリンドリカルレンズ（ここでは、円柱の中心軸を含む面でカットした形状のレンズをシリンドリカルレンズと呼んでいる）の並ぶピッチによって複数の種類が用意される。そして、これらの種類は、１インチあたりいくつのシリンドリカルレンズが並ぶか、すなわち、ｌｐｉ（ｌｅｎｓｅｓ  ｐｅｒ  ｉｎｃｈ）の単位で示される。
【００６９】
このように複数種類のレンチキュラーレンズが用意される場合において、これらの種類に応じたガイドを使用することで適切にそのレンチキュラーレンズを搬送することができる。このため、本実施形態におけるガイド選択装置には、使用されるレンチキュラーレンズにあわせて、複数のガイドが用意される。
【００７０】
図１８は、直方体状のガイド取付部材３１０を説明する図である。ガイド取り付け部材３１０には、第１ガイド３１１と第２ガイド３１２が用意される。第１ガイド３１１は、６０ｌｐｉのレンチキュラーレンズ用のガイドである。また、第２ガイド３１２は、３０ｌｐｉのレンチキュラーレンズ用のガイドである。シリンドリカルレンズの並ぶピッチが細かいほうが、シリンドリカルレンズ間の溝の深さも浅くなるため、６０ｌｐｉのガイドのほうが３０ｌｐｉのガイドよりもガイド取付部材３１０からの高さが低い構成となっている。
【００７１】
このようにすることによって、６０ｌｐｉのレンチキュラーレンズの印刷面に印刷を行う場合には第１ガイド３１１が搬送面３９０に現れるようにすることで、適切にレンチキュラーレンズを搬送方向に搬送することができる。また、３０ｌｐｉのレンチキュラーレンズの印刷面に印刷を行う場合には第２ガイド３１２が搬送面に現れるようにすることで、適切にレンチキュラーレンズを搬送方向に搬送することができる。
【００７２】
尚、ガイドの高さが異なることとしたが、前述の図７Ａ〜図７Ｅに示すような形状のガイドの中から第１ガイドと第２ガイドとでそれぞれ異なるガイドを選択するようにしてもよい。このようにすることによって、異なる種類のレンズシートにも対応することができるようになる。
【００７３】
また、ここでは、第１ガイド３１１と第２ガイド３１２の形状を異なるものとしたが、同一形状のものとしてもよい。このようにすることによって、例えば、第１ガイドが摩耗によりガイドの役割を十分に果たさなくなった場合であっても、第２ガイドを用いることができるようになる。
【００７４】
図１９は、円柱形状のガイド取付部材３２０を説明する図である。ここでは、前述の第１ガイド３１１と第２ガイド３１２が円柱形状のガイド取付部材３２０に取り付けられている。このようにすることによっても、レンチキュラーレンズのシリンドリカルレンズの並ぶピッチに応じたガイドを選択することができるようになり、高い搬送角度精度でレンチキュラーレンズを搬送することができるようになる。
【００７５】
尚、ここでは、直方体状のガイド取付部材３１０と円柱形状のガイド取付部材３２０を説明したが、ガイド取付部材の形状はこれに限られない。
【００７６】
このように、印刷を行うレンチキュラーレンズに応じて適切なガイドを選択することができるので、高い搬送角度精度を確保することができる。
【００７７】
また、レンチキュラーレンズ以外の媒体を使用する場合であっても、レンチキュラーレンズと同等の凹凸を設けた媒体に対して、高精度の搬送角度精度を確保することができるようになる。
【００７８】
また、ガイド選択装置３００を用いることにより、レンチキュラーレンズ以外の普通紙に印刷を行うときにはガイドが突出しないように平坦面３１３を搬送面３９０に向けることもできるので、用紙がガイド選択装置３００において引っかかることのないようにすることができる。
【００７９】
図２０は、載置台を有するプリンタ１’の斜視図である。プリンタ１’では、ヘッド６が図のＸＹ方向に自在に移動しつつインクを噴射して媒体上に画像を形成する。このようなプリンタ１’においても、ガイド選択装置３００を設けることができる。ガイド選択装置３００は、図に示すように、Ｘ軸方向にガイド３の凸部の母線が沿うように設けられる。
【００８０】
このようにすることによって、レンチキュラーレンズを載置台１０１’に載置してヘッド６の移動により印刷を行う場合であっても、レンチキュラーレンズの角度についての精度を高めて載置することができる。
【００８１】
＝＝＝その他の実施の形態＝＝＝
一実施形態としてヘッドを用いた記録装置を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００８２】
２  筐体、３  ガイド、３Ａ・３Ｂ  端面、４  搬送ローラー、４Ａ  バネ要素、
５  排紙ローラー、６  ヘッド、７  レンチキュラーレンズ、
８  画像形成層、８Ａ  インク透過層、８Ｂ  インク吸収層、
９  給紙開口部、１０  排紙開口部、１１  基板、１２  係合部、
１３  シリンドリカルレンズ、１４  凸部、
１６  搬送用モーター、１７  排紙用モーター、１８  キャリッジ、
１９  キャリッジガイド、２０  キャリッジ用モーター、２１  タイミングベルト、
２３  プラテン、２４  押圧ローラー、２４Ａ  バネ要素、２５  給紙部、
１００  記録装置、１１０  コンピューター、
３００  ガイド選択装置、３１０  ガイド取付部材、
３１１  第１ガイド、３１２  第２ガイド、
３３０  ガイド回転軸、３４０  操作ダイヤル回転軸、
３５０  操作ダイヤル、３６０  ベルト、
３９０  搬送面、
ＣＭ  検査用画像、Ｌｎ  ライン、
Ｌ  レンズシート、Ｓ  紙
【図１】
2010228109.tif 000003
【図２】
2010228109.tif 000004
【図３】
2010228109.tif 000005
【図４】
2010228109.tif 000006
【図５】
2010228109.tif 000007
【図６】
2010228109.tif 000008
【図７】
2010228109.tif 000009
【図８】
2010228109.tif 000010
【図９】
2010228109.tif 000011
【図１０】
2010228109.tif 000012
【図１１】
2010228109.tif 000013
【図１２】
2010228109.tif 000014
【図１３】
2010228109.tif 000015
【図１４】
2010228109.tif 000016
【図１５】
2010228109.tif 000017
【図１６】
2010228109.tif 000018
【図１７】
2010228109.tif 000019
【図１８】
2010228109.tif 000020
【図１９】
2010228109.tif 000021
【図２０】
2010228109.tif 000022